(57)【要約】      （修正有）【課題】少なくとも一端に脚部材を有する一対のすのこを備え、これらのすのこの各脚部材側を接触させ、これらの脚部材の下端縁を蝶番によって折り曲げ自在に連結し、蝶番を脚部材の底面に設置するとともにこの脚部材の底面を前記すのこの外端に向かって下がり傾斜にしたすのこベッドの提供。【解決手段】一対のすのこを水平状に延ばした時に、互いに接触する脚部材（一対のすのこの）の底面に、その境界線を頂点とした逆Ｖ字状の空間が形成され、この空間内に前記蝶番は収容される。このすのこベッドを使用すれば、一対のすのこを水平状に延ばすことによって、床面を傷つけることなく仰臥用のベッドとして使用できるとともにＡ字状に折り曲げて、布団干しとして使用できる。また、このベッドを檜で製作すれば、抗菌作用を奏することもできる。【選択図】図３
0003120234.tif 000002
【実用新案登録請求の範囲】
【請求項１】
少なくとも一端に脚部材を有する一対のすのこを備え、これらのすのこの各脚部材側を接触させ、これらの脚部材の下端縁を蝶番によって折り曲げ自在に連結したすのこベッドにおいて、前記蝶番を前記脚部材の底面に設置するとともにこの脚部材の底面を前記すのこの外端に向かって下がり傾斜にしたことを特徴とするすのこベッド。
【請求項２】
請求項１のすのこベッドにおいて、それぞれのすのこにおいて略中間部に設置された脚部材の端面に各々係止具を設置し、これらの係止具を係止紐で繋ぐことにより前記一対のすのこをＡ字状に折り曲げた状態で固定できるようにしたことを特徴とするすのこベッド。
【請求項３】
請求項２のすのこベッドにおいて、前記脚部材の端面に凹部を形成し、前記係止具をこの凹部内に設置したことを特徴とするすのこベッド。
【請求項４】
少なくとも一端がすのこ板から突出した脚部材を有する一対のすのこを備え、これらの突出部側を対向させるとともに隣り合う用に配置し、これらの突出部に軸体を貫通することによってこの軸体を介して前記一対のすのこを折り曲げ自在にしたことを特徴とするすのこベッド。
【請求項５】
請求項４のすのこベッドにおいて、片方のすのこの脚部材の外側面に係止具を設置し、これらの係止具に係止紐の一端を固定するとともに他端を環状にして前記他のすのこを構成しているすのこ板の端部に巻きかけることにより前記一対のすのこをＡ字状に折り曲げた状態で固定できるようにしたことを特徴とするすのこベッド。
【考案の詳細な説明】
【技術分野】
【０００１】
この考案はすのこベッドに関し、床に敷いてベッドとして使用されるとともにＡ字状に折り曲げて布団干しとして使用されるものである。
【背景技術】
【０００２】
従来におけるこの種のすのこベッドは、少なくとも一端に脚部材を有する一対のすのこを備え、これらのすのこの各脚部材側を接触させ、これらの脚部材の下端縁を蝶番によって折り曲げ自在に連結したものであり、水平に延ばした状態で仰臥用ベッドとして使用するとともにＡ字状に折り曲げて布団干しとして使用していた。
【０００３】
【特許文献１】特開２００５−５１６１６号公報
【考案の開示】
【考案が解決しようとする課題】
【０００４】
しかしながら、かかる従来のすのこベッドにあっては、一対のすのこを折り曲げ自在に連結している蝶番が、前記脚部材の底面に突出した状態で設置されていたため、このすのこベッドを水平状に延ばして床面に載置した場合、この蝶番が床面に接触して傷つけやすいという不都合を有した。
この考案の課題はかかる不都合を解消することである。
【課題を解決するための手段】
【０００５】
上記課題を達成するために、第一考案（請求項１）に係るすのこベッドにおいては、少なくとも一端に脚部材を有する一対のすのこを備え、これらのすのこの各脚部材側を接触させ、これらの脚部材の下端縁を蝶番によって折り曲げ自在に連結したすのこベッドにおいて、前記蝶番を前記脚部材の底面に設置するとともにこの脚部材の底面を前記すのこの外端に向かって下がり傾斜にしたものである。
【０００６】
なお、このすのこベッドにおいて、それぞれのすのこの略中間部に設置された脚部材の端面に各々係止具を設置し、これらの係止具を係止紐で繋ぐことにより前記一対のすのこをＡ字状に折り曲げた状態で固定できるようにすることもできる。
【０００７】
また、この場合、前記脚部材の端面に凹部を形成し、前記係止具をこの凹部内に設置することもできる。
【０００８】
また、第二考案（請求項４）に係るすのこベッドにおいては、少なくとも一端がすのこ板から突出した脚部材を有する一対のすのこを備え、これらの突出部側を対向させるとともに隣り合う用に配置し、これらの突出部に軸体を貫通することによってこの軸体を介して前記一対のすのこを折り曲げ自在にしたものである。
【０００９】
このすのこベッドにおいて、片方のすのこの脚部材の外側面に係止具を設置し、これらの係止具に係止紐の一端を固定するとともに他端を環状にして前記他のすのこを構成しているすのこ板の端部に巻きかけることにより前記一対のすのこをＡ字状に折り曲げた状態で固定できるようにすることもできる。
【考案の効果】
【００１０】
第一考案（請求項１）に係るすのこベッドは、上記のように構成されているため、一対のすのこを水平状に延ばした時に、互いに接触する脚部材（一対のすのこの）の底面に、その境界線を頂点とした逆Ｖ字状の空間が形成され、この空間内に前記蝶番は収容されることになる。
【００１１】
よって、このすのこベッドを使用すれば、一対のすのこを水平状に延ばすことによって、床面を傷つけることなく仰臥用のベッドとして使用できるとともにＡ字状に折り曲げて、布団干しとして使用できる。また、このベッドを檜で製作すれば、抗菌作用を奏することもできる。
【００１２】
なお、このすのこベッドにおいて、それぞれのすのこの略中間部に設置された脚部材の端面に各々係止具を設置し、これらの係止具を係止紐で繋ぐことにより前記一対のすのこをＡ字状に折り曲げた状態で固定できるようにすれば、前記一対のすのこをＡ字状に折り曲げた状態で固定できるため、安定した布団干しとして使用することができる。
【００１３】
また、この場合、前記脚部材の端面に凹部を形成し、前記係止具をこの凹部内に設置すれば、前記係止具は前記脚部材の端面より突出しないため、取り扱うにあたって邪魔にならず、その使用価値は向上する。
【００１４】
また、第二考案（請求項４）に係るすのこベッドは、上記のように構成されているため、一対のすのこを水平に延ばしたときに、脚部材の底面に突出するものは存在しないものである。
【００１５】
よって、このすのこベッドを使用すれば、一対のすのこを水平状に延ばすことによって、床面を傷つけることなく仰臥用のベッドとして使用できるとともにＡ字状の折り曲げて、布団干しとして使用できる。また、このベッドを檜で製作すれば、抗菌作用を奏することもできる。
【００１６】
なお、このすのこベッドにおいて、片方のすのこの脚部材の外側面に係止具を設置し、これらの係止具に係止紐の一端を固定するとともに他端を環状にして前記他のすのこを構成しているすのこ板の端部に巻きかけることにより前記一対のすのこをＡ字状に折り曲げた状態で固定できるようにすれば、前記一対のすのこをＡ字状に折り曲げた状態で固定できるため、安定した布団干しとして使用することができる。
【考案を実施するための最良の形態】
【００１７】
この考案は、蝶番を脚部材の底面に設置するとともにこの脚部材の底面を前記すのこの外端に向かって下がり傾斜にしたこと、また、一端がすのこ板から突出した脚部材を有する一対のすのこを、これらの突出部に軸体を貫通することによってこの軸体を介して前記一対のすのこを折り曲げ自在にしたことに最も主要な特徴を有する。
【実施例１】
【００１８】
以下、図面に基づいてこの考案の実施例を説明する。
【００１９】
図１は第一考案（請求項１〜３）に係るすのこベッドの斜視図、図２は図１におけるII矢視拡大図、図３はＡ字状に折り曲げたときの斜視図、図４は図３におけるIV矢視拡大部分図である。
【００２０】
図５は第二考案（請求項４〜５）に係るすのこベッドの斜視図、図６は同部分背面図、図７はＡ字状に折り曲げたときの斜視図、図８は逆方向に折り曲げたときの斜視図である。
【００２１】
まず、図１〜図４に基づいて、第一考案の実施例について説明する。
【００２２】
図１および図３において、Ｂはすのこベッドであり、一対のすのこ10,20 を蝶番30,30 で折り曲げ自在に連結したものである。
【００２３】
11,21 は前記すのこ10,20 の脚部材，12,22 は同内側脚部材であり、一定間隔で略平行に配置されている。また、13,13,…，23,23,…はすのこ板であり、僅かな隙間を介して、前記脚部材11,21 および前記内側脚部材12,22 13,23 の上面に載置され、釘止めされている。
【００２４】
また、この内側脚部材12,22 の底面は、図２に示すように、前記すのこ12,22 の外端に向かって下がり傾斜に形成されている。このため、一対のすのこ10,20 の接触面では、前記内側脚部材12,22 の下側に、その境界線（一対のすのこの境界線）を頂点として逆Ｖ字状の空間Ｓが形成される。
【００２５】
30は前記した蝶番であり、図２に示すように、前記内側脚部材12,22 の下端縁の底面に設置され、前記逆Ｖ字状の空間Ｓに収容されている。このため、図１に示すように、一対のすのこ10,20 を水平状に延ばしても、この蝶番30,30 が内側脚部材13,23 から下方に突出して床面を傷つけることはないものである。
【００２６】
図３は、このすのこベッドＢを下方に向かってＡ字状に折り曲げ、布団干しとして使用する状態を示している。前記すのこベッドＢに布団（図示せず）を敷いたまま、折り曲げれば、そのまま布団を干すことができる。
【００２７】
なお、この場合、前記内側脚部材12,22 の底面が、前記すのこ12,22 の外端に向かって下がり傾斜に形成されているため、図２に仮想線で示すように、一対のすのこ10,20 はＡ字状の状態で必要以上に内側に折り畳むことができず、安定した状態を維持することができる。
【００２８】
図４において、50,50 は凹部であり、前記脚部材11,21 の端面に形成されている。この凹部50,50 は互いに対向する側が開放52，52している。51,51 は係止ビス（係止具）であり、この凹部50,50 内に立設されている。
【００２９】
次に、図３および図４において、60は係止紐であり、所定の長さを有している。61,61 は係止環であり、前記係止紐60の両端に形成されている。この係止環61,61 を前記一対の係止ビス51,51 に掛け止めすることによって、前記一対のすのこ10,20 がＡ字状の状態から水平状態に戻らないように固定することができる。なおこの場合、前記係止紐60は前記凹部50,50 の開放部52,52 を通過するため、前記脚部材11,21 の端面から突出することはない。
【００３０】
次に、図５〜び図８に基づいて、第二考案の実施例について説明する。
【００３１】
図５において、Ｂはすのこベッドであり、一対のすのこ10,20 を折り曲げ自在に連結したものである。
【００３２】
図６に示すように、このすのこ10,20 は、脚部材11,21 が、すのこ板13,23 から内側方向に突出し、内側突出部15,25 を形成している。そして、これらの突出部15,25 は互いに対向し、接触した状態で配置されている。70は軸体であり、前記突出部15,25 を貫通している。このため、この軸体70,70,…を介して、前記突出部15,25 ，ひいては、前記一対のすのこ10,20 は揺動することができる。
【００３３】
図７は、このすのこベッドＢを下方に向かってＡ字状に折り曲げ、布団干しとして使用する状態を示している。
この場合、脚部材11,21 の外側面に、第一考案の場合と同様に、係止紐ビス51が設置され、この係止ビス51に係止紐60の一端が係止されている。但し、他端の係止環61は、第一考案の場合よりも広径であり、前記すのこ板13,23 の端部に巻掛けられている。なお、図示はしないが、第一考案の開放部52に相当するものは凹部52に設けられ、同じ機能を果している。
【００３４】
図８は、このすのこベッドＢの他の使用方法を示したものである。このすのこベッドＢは、脚部材11,21 の内側突出部15,25 を軸体70によって揺動可能に連結しているため、上方へも折り曲げることができる結果、図のように逆Ｖ字状に設定して、座椅子のように使用することもできる。この場合、折り曲げたすのた10が水平にならないように下方に介在物を設置することが必要である。
。
【産業上の利用可能性】
【００３５】
一対のすのこを水平状に延ばしたときに床面を傷つけることがないため、水平状に延ばして仰臥用のベッドとして使用できるとともにＡ字状の折り曲げて、布団干しとして利用することができる。
【図面の簡単な説明】
【００３６】
【図１】図１は第一考案（請求項１〜３）に係るすのこベッドの斜視図である。
【図２】図２は図１におけるII矢視拡大図である。
【図３】図３はＡ字状に折り曲げたときの斜視図である。
【図４】図４は図３におけるIV矢視拡大部分図である。
【図５】図５は第二考案（請求項４〜５）に係るすのこベッドの斜視図である。
【図６】図６は同部分背面図である。
【図７】図７はＡ字状に折り曲げたときの斜視図である。
【図８】図８は逆方向に折り曲げたときの斜視図である。
【符号の説明】
【００３７】
Ｂ  …  すのこベッド
Ｓ  …  逆Ｖ字状の空間
10  …  すのこ
11  …  脚部材
12  …  内側脚部材（脚部材）
13  …  すのこ板
15  …  内側突出部
20  …  すのこ
21  …  脚部材
22  …  内側脚部材（脚部材）
23  …  すのこ板
25  …  内側突出部
30  …  蝶番
50  …  凹部
51  …  係止ビス（係止具）
52  …  開放部
60  …  係止紐
61  …  係止環
70  …  軸体
【図１】
0003120234.tif 000003
【図２】
0003120234.tif 000004
【図３】
0003120234.tif 000005
【図４】
0003120234.tif 000006
【図５】
0003120234.tif 000007
【図６】
0003120234.tif 000008
【図７】
0003120234.tif 000009
【図８】
0003120234.tif 000010